(57)【要約】【課題】  径の小さいネックレス用の連結具（バチカン）のペンダントヘッドを、径の大きいネックレスにも、美的外観を損なうことなく、正常な向きで安定した状態で装着できるようにする。【解決手段】  「クリッカー」に、下部を平らに変型させた「カニ環」を横向き（クリッカー部に対してカニ環部を垂直）に接合することで、カニ環部で径の小さいタイプ用の連結具（バチカン）のペンダントヘッドを正常な向きで安定した状態で装着し、クリッカー部で径の大きいネックレスを装着することを可能にし、各所を独立して稼動させることで安全に装着することができ、更に前面オブジェによって、金具の露出を防ぎ、かつ新たな装飾効果をもたらす。【選択図】図３
0003162860.tif 000002
【実用新案登録請求の範囲】
【請求項１】
連結具（バチカン）「クリッカー」に、下部を平らに変型させた「カニ環」を横向き（クリッカー部に対してカニ環部を垂直）に接合することで、カニ環部で径の小さいタイプ用の連結具（バチカン）のペンダントヘッドを正常な向きで安定した状態で装着し、クリッカー部で径の大きいネックレスを装着することを可能にし、各所を独立して稼動させることで安全に装着することができ、更に前面オブジェによって、金具の露出を防ぎ、かつ新たな装飾効果をもたらすことを特徴とするペンダントヘッド連結金具（バチカン）の変換具。
【考案の詳細な説明】
【技術分野】
【０００１】  本考案は、ペンダントヘッドの連結金具（バチカン）の変換・多様化を図った装身具に関する。
【背景技術】
【０００２】  従来、ペンダントヘッドの連結具（バチカン）には、チェーンネックレス等の径の小さいタイプ用と、真珠やビーズ等を連結させたネックレス等の径の大きいタイプ用があり、いずれも装飾部に固定され、着脱不可であるものが一般的に普及している。
【考案の概要】
【考案が解決しようとする課題】
【０００３】  以上の連結具（バチカン）は、径の小さいタイプ用では大きい径を通らないため兼用できず、また、径の大きいタイプ用では小さい径に通すと連結具（バチカン）が向きを安定できずに横を向いてしまうため、美的外観が重要な装身具として兼用に適さなかった。【０００４】  そのため、各タイプに適した連結具（バチカン）の付いたペンダントヘッドを別々に購入する必要があり、また、装飾デザインの種類に限りのあるものは一方のタイプでしか使用することができなかった。【０００５】  そこで、一般的により多く普及しており、既存所有率の高いチェーン等の径の小さいタイプ用の連結具（バチカン）を、真珠やビーズ等を連結させた径の大きいネックレスにも通せる変換具を考案する。
【課題を解決するための手段】
【０００６】  径の大きいタイプ用の連結具（バチカン）「クリッカー」に、下部を平らに変型させた「カニ環」を横向きに接合する。クリッカー部に対してカニ環部を垂直に接合することで、ペンダントヘッドは横を向くことなく、ネックレスに対して本来の向きで装着することができる。また、カニ環部の下部を平らにすることで、ペンダントヘッドの連結具（バチカン）を水平に安定することができる。【０００７】  そして、ペンダントヘッド装着部とネックレスへの装着部を独立して稼動させることで、各所を確実に装着することができ、安全性が向上する。【０００８】  更に、美的外観を向上させるため、クリッカー部前面金具に接合した装飾面（オブジェ）を設ける。変換具が露出して美的外観を損ねることを防ぎ、かつ、その装飾によって新たな装身具としての役割も果たす。
【考案の効果】
【０００９】  本考案により、径の小さいタイプ用の連結具（バチカン）のペンダントヘッドが、径の大きいネックレスにも、正常な向きで安定して装着することができる。ネックレスへの装着部とペンダントヘッドへの装着部が別稼動のため、それぞれを安全に装着することができる。また、オブジェによって、金具の露出を防ぎ、かつ新たな装飾効果をもたらすことができる。
【図面の簡単な説明】
【００１０】
【図１】本考案にペンダントヘッドを装着した状態の正面図
【図２】本考案にペンダントヘッドを装着した状態の後面図
【図３】本考案にペンダントヘッドを装着した状態の側面図
【図４】本考案にペンダントヘッドを装着した状態の正面オブジェ例付き図
【考案を実施するための形態】
以下、本考案の実施の形態を図１〜４に基づいて説明する。
【００１１】  図３において、１−ｃを軸に１−ｂが開閉し、１−ｄ、１−ｅが噛み合って閉じる。１−ｂを開いた状態でネックレスを間に挟み、閉じる。
【００１２】  図２において、２−ａ、２−ｂはつながった金具である。２−ａを上に持ち上げると、２−ｃを軸に２−ｂが内側へ移動する。開いたら２−ｄにペンダントヘッドの連結具（バチカン）を通す。
【符号の説明】
【００１３】１−ａ  クリッカー部後部金具
１−ｂ  クリッカー部前部オブジェ接合金具
１−ｃ  クリッカー部１−ａ金具、１−ｂ金具を留めている金具
１−ｄ  クリッカー部留め金受け口
１−ｅ  クリッカー部留め金挿し口
２−ａ  カニ環部引き金
２−ｂ  カニ環部２−ａの延長部
２−ｃ  カニ環部２−ａ（２−ｂ）を２−ｄに留めている金具
２−ｄ  カニ環部のバチカンを通す金具
【図１】
0003162860.tif 000003
【図２】
0003162860.tif 000004
【図３】
0003162860.tif 000005
【図４】
0003162860.tif 000006
【手続補正書】
【提出日】平成22年1月20日(2010.1.20)
【手続補正２】
【補正対象書類名】明細書
【補正対象項目名】０００１
【補正方法】変更
【補正の内容】
【０００１】  本考案は、ペンダントヘッドの連結具の変換・多様化を図った装身具に関する。
【手続補正３】
【補正対象書類名】明細書
【補正対象項目名】０００６
【補正方法】変更
【補正の内容】
【０００６】  径の大きいタイプ用の連結具であるクリッカーに、下部を平らにした引っかけ部を横向きに接合する。クリッカー部に対して引っかけ部を垂直に接合することで、ペンダントヘッドは横を向くことなく、ネックレスに対して本来の向きで装着することができる。また、引っかけ部の下部を平らにすることで、ペンダントヘッドの連結具を水平に安定することができる。
【手続補正４】
【補正対象書類名】明細書
【補正対象項目名】０００８
【補正方法】変更
【補正の内容】
【０００８】  更に、美的外観を向上させるため、クリッカー部前面に、装飾部（オブジェ）との接合面を設ける。本変換具自体が露出して美的外観を損ねることを防ぎ、かつ、その装飾によって新たな装身具としての役割も果たす。
【手続補正５】
【補正対象書類名】明細書
【補正対象項目名】０００９
【補正方法】変更
【補正の内容】
【０００９】  本考案により、径の小さいタイプ用の連結具のペンダントヘッドが、径の大きいネックレスにも、正常な向きで安定して装着することができる。ネックレスへの装着部とペンダントヘッドへの装着部が別稼動のため、それぞれを安全に装着することができる。また、装飾部（オブジェ）によって、変換具本体の露出を防ぎ、かつ新たな装飾効果をもたらすことができる。
【手続補正６】
【補正対象書類名】明細書
【補正対象項目名】００１２
【補正方法】変更
【補正の内容】
【００１２】  図２において、２−ａを上に持ち上げ、２−ｂを軸に開閉する。開いたら２−ｃにペンダントヘッドの連結具を通す。
【手続補正７】
【補正対象書類名】明細書
【補正対象項目名】００１３
【補正方法】変更
【補正の内容】
【００１３】  １−ａ  クリッカー部後部
１−ｂ  クリッカー部前部、及びオブジェ接合部
１−ｃ  クリッカー部１−ａ、と１−ｂを留めている金具
１−ｄ  クリッカー部留め金挿し口
１−ｅ  クリッカー部留め金受け口
２−ａ  引っかけ部開閉部
２−ｂ  引っかけ部２−ａを２−ｃに留めている金具
２−ｃ  引っかけ部、ペンダントヘッドの連結具を通す部分
【手続補正８】
【補正対象書類名】実用新案登録請求の範囲
【補正対象項目名】請求項１
【補正方法】変更
【補正の内容】
【請求項１】
径の大きいタイプ用の連結具であるクリッカーに、下部を平らにした引っかけ部を、クリッカー部に対して垂直に接合することで、引っかけ部で径の小さいタイプ用の連結具のペンダントヘッドを正常な向きで安定した状態で装着し、クリッカー部で径の大きいネックレスを装着することを可能にし、各所を独立して稼動させることで安全に装着することができ、更に、クリッカー部前面にオブジェを接合することにより、変換具本体の露出を防ぎ、かつ新たな装飾効果をもたらすことを特徴とする、ペンダントヘッドの連結具の変換具。
【手続補正９】
【補正対象書類名】図面
【補正対象項目名】全図
【補正方法】変更
【補正の内容】
【図１】
0003162860.tif 000007
【図２】
0003162860.tif 000008
【図３】
0003162860.tif 000009
【図４】
0003162860.tif 000010
【手続補正書】
【提出日】平成22年5月17日(2010.5.17)
【手続補正１】
【補正対象書類名】実用新案登録請求の範囲
【補正対象項目名】全文
【補正方法】変更
【補正の内容】
【実用新案登録請求の範囲】
【請求項１】
径の大きいタイプ用の連結具であるクリッカーの下に、下部を平らにした引っかけ部をクリッカーに対して垂直に接合することで、引っかけ部で径の小さいタイプ用の連結具のペンダントヘッドを正常な向きで安定した状態で装着し、クリッカーで径の大きいネックレスを装着することを可能にし、各所を独立して稼動させることで安全に装着することができ、更に、クリッカーの前面にオブジェを接合することにより、変換具本体の露出を防ぎ、かつ新たな装飾効果をもたらすことを特徴とする、ペンダントヘッドの連結具の変換具。